(57)【要約】【課題】  積層テープを巻装したロール体の積層部分がずれたり剥がれたりすることなく収納できるものであり、積層テープの繰り出し時にもこの積層状態を確実に維持しながら使用することのできる積層テープの繰り出し包装構造を提供すること。【解決手段】  長尺状の接着フィルム１０２の外面に剥離紙１０３を積層状態で積層テープ１０１を巻装したロール体１００を適宜形状の包装体１０に収納し、この包装体１０よりロール体１００の積層テープ１０１の外端部片１０１ａを適宜長さ繰り出して常に剥離紙１０３を接着フィルム１０２の外面に積層保持させた積層テープの繰り出し包装構造である。【選択図】      図１
2005320047.tif 000002
【特許請求の範囲】
【請求項１】
長尺状の接着フィルムの外面に剥離紙を積層状態で積層テープを巻装したロール体を適宜形状の包装体に収納し、この包装体より前記ロール体の積層テープの外端部片を適宜長さ繰り出して常に剥離紙を接着フィルムの外面に積層保持させたことを特徴とする積層テープの繰り出し包装構造。
【請求項２】
前記包装体を箱型状に成形し、この包装体内に長尺状の熱溶着フィルムの外面に剥離紙を積層状態に巻装したロール体を収納し、このロール体の両側面を熱溶着により熱溶着フィルムと剥離紙を仮固着状態とし、前記包装体の角部より熱溶着性の積層テープを繰り出して剥離紙を常に熱溶着フィルムの外面に積層保持させた請求項１に記載の積層テープの繰り出し包装構造。
【請求項３】
前記箱型状の包装体の角部より熱溶着性の積層テープを外方に繰り出し、その繰り出し先端片を包装体の扁平側面に形成した切欠部より挿入すると共に、その先端片を当該側面の端部より繰り出すように構成した請求項１又は２に記載の積層テープの繰り出し包装構造。
【請求項４】
前記包装体は１枚の紙型片を折り畳んで箱型形状に成形した扁平状の箱型である請求項１乃至３の何れか１項に記載の積層テープの繰り出し包装構造。
【発明の詳細な説明】
【技術分野】
【０００１】
本発明は、例えば、スラックス等の衣類の裾上げ用或は折り返しなどに広く用いられる熱溶着専用両面テープ又はその他のテープを剥離紙で積層したテープであり、この積層テープを巻装したロール体の端部を繰り出すための積層テープの繰り出し包装構造に関する。
【背景技術】
【０００２】
従来、例えば、衣類の補修としてスラックスの裾上げを行う場合には縫製によるものが主流であったが、この場合非常に手間のかかるものとなっている。一方、衣類補修用のテープを用いた裾上げが知られており、この衣類補修用テープによる裾上げは、熱溶着性のテープをアイロン等の熱で裾上げ部分と溶着するようにしたものであり、縫製による裾上げと比較した場合、手間がかからず作業が容易であるため、この衣類補修用テープによる裾上げが行われている。
【０００３】
図１０において、巻装ロール体である衣類補修用テープ１は、接着テープである熱溶着テープ２の上面側に剥離性及び耐熱性を有する剥離紙であるあて紙３が積層された状態で中空の芯体４に巻装されており、保管時などには、熱溶着テープ２とあて紙３を芯体４に対して緩みの無い状態で巻きつけ、あて紙３が熱溶着テープ２の上に積層されたこの状態を維持して図示しない裁縫箱（ソーイングボックス）などに収納するようにしている。
【０００４】
この衣類補修用テープ１の使用時には、先ず、裁縫箱から取出したテープ本体を手で回転させるようにして積層状態の熱溶着テープ２とあて紙３を繰り出し方向に繰り出し、これらを図示しない鋏などで一点鎖線により切断することによって必要な長さに形成しておく。衣類補修用テープ１を用いて図示しない衣類を補修する場合には、先ず、切断した衣類補修用テープ１を図示しない一方側の生地の接着面に当てた状態にし、あて紙３の上から図示しないアイロンにより加熱することで熱溶着テープ２が生地に溶着される。次いで、あて紙３を熱溶着テープ２から剥し、図示しない他方側の生地を熱溶着テープ１の上に被せた後に、再度アイロンで加熱することで熱溶着テープ１の両面の溶着面をそれぞれ生地に溶着して衣類の補修が行われる。
【０００５】
このような巻装ロール体を収納する容器としては、剥離紙付粘着テープを巻回した巻テープを収納する収納部を有する容器本体を形成し、この容器本体の上面板の上部にテープを挿通する挿通間隙を存して押え板を形成し、この押え板に対向する上面板の両端に収納部からテープを引出すための引出口を形成し、一方の引出口に折込板を折曲自在に連設し、折込板を上面板の裏面に沿って折り込んだとき刃先が引出口の側方に突出し１８０度折返したとき刃先が引出口の上方に突出するよう折込板にカッターを設けた剥離紙付粘着テープの巻テープ容器がある（例えば、特許文献１参照。）。
【０００６】
また、底板、又は側板により連結された並列的な面板の間に巻テープを巻戻し可能に収納し、この底板又は側板の端部から引き出す巻テープを巻戻し可能に収納し、底板又は側板の端部から引き出す巻テープを端部近傍に沿わせるように、端部よりやや内側に入った位置において巻戻した巻テープの上方に位置するように面板側より押え片を備えた容器入巻テープがある（例えば、特許文献２参照。）。
【特許文献１】実用新案登録第２５６６６２１号公報
【特許文献２】特開平９−１５１０２１号公報
【発明の開示】
【発明が解決しようとする課題】
【０００７】
しかしながら、両面テープなどの巻装ロール体の剥離紙は接着テープから自然に剥がれることがあり、衣類補修用テープ１のあて紙３についても同様に自然に剥がれることがあった。あて紙３が剥がれると熱溶着テープ２に対してずれたり、更には、図１１に示すように、外周側であるはずのあて紙３が熱溶着テープ２に対して１回転分余計に剥がれ、熱溶着テープ２の内周側に位置するおそれもあり、使用者が気付かずにこのままの状態で使用すると次のような問題が発生していた。
例えば、あて紙３が熱溶着テープ２に対して下側の状態で、熱溶着テープ２の上からアイロン加熱すると、アイロンの発熱部位が熱溶着テープ２に直接触れることになり、高温によって熱溶着テープ２が溶けてアイロンの発熱部位に溶着する場合があった。
また、この衣類補修用テープ１の上下を逆にしてあて紙３を上側にしたとしても、あて紙３の裏側からアイロン加熱することになり、あて紙３の表側には加熱後に熱溶着テープ２と剥離できるような処理が施されていないため、熱溶着テープ２にあて紙３が溶着する可能性があった。また、あて紙３の裏側がアイロンの加熱に耐え切れずにアイロンの発熱部位に溶着するおそれもあった。
しかも、衣類補修用テープ１などの特殊用途に使用される巻装ロール体は、必要に応じてその都度用いられるものであるため熱溶着テープ２とあて紙３の見分けが付き難く、巻装状態の誤りに気付かないまま使用して上記の問題が頻繁に生じるおそれがあった。
【０００８】
特許文献１の剥離紙付粘着テープの巻テープ容器は、修正テープからなる剥離紙付粘着テープを収容する容器であり、この容器は、剥離紙付粘着テープを使用する際に剥離紙から粘着テープを剥した状態で切り取ったり、剥離紙と粘着テープを仮着した状態で切り取ったりするためのものであり、粘着テープと剥離紙がずれたり剥がれたりするのを防止しようとしたものではなかった。
【０００９】
また、特許文献２の容器入巻テープは、容器に納めた両面粘着テープからなる巻テープにおける剥離紙が剥がれやすくなっている粘着テープを剥離紙と同時に巻戻すようにしたものであり、粘着テープと剥離紙を常に積層した状態に維持できるものではない。
【００１０】
本発明は、従来の課題点を解決するために開発したものであり、その目的とするところは、積層テープを巻装したロール体の積層部分がずれたり剥がれたりすることなく収納できるものであり、積層テープの繰り出し時にもこの積層状態を確実に維持しながら使用することのできる積層テープの繰り出し包装構造を提供することにある。
【課題を解決するための手段】
【００１１】
上記の目的を達成するため、請求項１記載の発明は、長尺状の接着フィルムの外面に剥離紙を積層状態で積層テープを巻装したロール体を適宜形状の包装体に収納し、この包装体より前記ロール体の積層テープの外端部片を適宜長さ繰り出して常に剥離紙を接着フィルムの外面に積層保持させた積層テープの繰り出し包装構造である。
【００１２】
請求項２記載の発明は、前記包装体を箱型状に成形し、この包装体内に長尺状の熱溶着フィルムの外面に剥離紙を積層状態に巻装したロール体を収納し、このロール体の両側面を熱溶着により熱溶着フィルムと剥離紙を仮固着状態とし、包装体の角部より熱溶着性の積層テープを繰り出して剥離紙を常に熱溶着フィルムの外面に積層保持させた積層テープの繰り出し包装構造である。
【００１３】
請求項３記載の発明は、前記箱型状の包装体の角部より熱溶着性の積層テープを外方に繰り出し、その繰り出し先端片を包装体の扁平側面に形成した切欠部より挿入すると共に、その先端片を当該側面の端部より繰り出すように構成した積層テープの繰り出し包装構造である。
【００１４】
請求項４記載の発明は、前記包装体は１枚の紙型片を折り畳んで箱型形状に成形した扁平状の箱型である積層テープの繰り出し包装構造である。
【発明の効果】
【００１５】
請求項１に係る発明によると、衣料補修用テープ等の積層テープを巻装したロール体を収納する際に積層部分がずれたり剥がれたりすることのない包装構造であり、積層テープの繰り出し時においても、この積層状態を確実に維持した状態で積層テープを使用することのできる積層テープの繰り出し包装構造である。
更に、衣料補修用テープ以外の様々な用途の積層テープの包装に利用することができる。
【００１６】
請求項２に係る発明によると、衣料を補修するテープを収納することができ、衣料の補修時にはテープの積層状態を正しく維持しながら繰り出して、熱溶着したときに確実に生地同士を接着して誤った補修を行うことがない積層テープの繰り出し包装構造である。
【００１７】
請求項３に係る発明によると、簡単な構造によって積層テープの積層状態を維持することができ、積層テープの端部側から自然に剥がれたりするのを防ぐ積層テープの繰り出し包装構造である。しかも、この剥がれを防止する構造を包装体に容易に形成することができ、コストアップすることがない。
【００１８】
請求項４に係る発明によると、プレス加工等によって加工したものを折り畳むように組立てることで簡単に形成することができ低コストであり、また、非常にコンパクトであるため使いやすく、収納性にも優れた積層テープの繰り出し包装構造である。
【発明を実施するための最良の形態】
【００１９】
本発明における積層テープの繰り出し包装構造の実施形態を図面に基づいて説明する。
図１ないし図４において、包装体１０は本発明における積層テープの繰り出し包装構造を用いたものであって、この包装体１０は適宜の形状に設けようにすればよく、本実施形態においては包装体１０を箱型状に成形している。
包装体１０内に収納される積層テープ１０１は、長尺状の接着フィルムで熱溶着可能な熱溶着フィルム１０２の外面１０２ａに剥離紙１０３を積層した状態に設けたものであり、この積層テープ１０１を巻装してロール体１００を形成している。熱溶着フィルム１０２は、例えばナイロン系樹脂からなり、アイロンの中温程度（例えば、１２０〜１５０℃程度）で溶着するものであればよいが、ナイロン系樹脂以外の材質の接着樹脂を用いてもよい。
ロール体１００の形成加工時には、例えば、芯部材１０４に熱溶着フィルム１０２と剥離紙１０３を積層した状態で巻装した図示しない長尺ロール体を形成しておき、この長尺ロール体を軸方向に適度の厚みに溶断することによってロール体１００が得られる。この溶断は、ロール体１００の各側面部分にて行われ、切断時には熱溶着フィルム１０２が溶け出して剥離紙１０３の側面部位と仮固着し、熱溶着フィルム１０２と剥離紙１０３が積層状態で密着しながら熱溶着により一体化したような状態となる。この状態は、アイロン等によって外部から熱を加えない限り持続し、剥離紙１０３が自然に剥がれたりすることはない。
【００２０】
包装体１０は、図３の展開図に示すようにプレス加工等によって１枚の紙型片１１を切断加工し、図において細線で示した折線１２によって折り畳むことで扁平状の箱型形状に形成される。
紙型片１１を切断加工する際には、正面板１３、背面板１４、上面板１５、下面板１６、左側面板１７、右側面板１８をそれぞれ折り畳んだときに６面体を形成するように連続的に形成し、更に、正面板１３の下面板１６側の端部側には糊代面１９ａを有する糊代板１９、左側面板１７の背面板１４側の端部側には左差込み板２０、右側面板１８の背面板１４側の端部側には右差込み板２１、背面板１４の左側面板１７側の端部側には左案内板２２、背面板１４の右側面板１８側の端部側には右案内板２３、下面板１６の左案内板２２側の端部側には左折込み板２４、下面板１６の右案内板２３側の端部側には右折込み板２５をそれぞれ形成している。なお、上記の紙型片１１を表す各構成要素の呼称は便宜的に表したものであり、方向性を示したものではない。また、本実施形態においては、包装体１０を１枚の紙型片１１により成形しているが、複数の紙型片を図示しない接着のりや両面テープ等で貼り合わせるようにしてもよい。
【００２１】
上面板１５の適宜位置には積層テープ１０１の外端部片である繰り出し先端片１０１ａを挿入可能な切欠部２６、正面板１３の適宜位置にはロール体１００の残量を視認可能な残量視認窓２７を適宜の形状・大きさでそれぞれ切欠き形成し、また、背面板１４と左案内板２２、背面板１４と右案内板２３の間には、各折線１２に沿うように左差込み板２０及び右差込み板２１を挿入可能な挿入穴２８、２８をそれぞれ穿孔している。一方、左側面板１７と左差込み板２０の間と、右側面板１８と右差込み板２１の間には、左差込み板２０、右差込み板２１の両側縁がそれぞれ曲折可能になるような切欠溝２９、２９をそれぞれ切欠き形成している。
切欠部２６、視認窓２７、挿入穴２８、及び切欠溝２９は、紙型片１１の成形加工時と同時にプレス加工するのが望ましく、この場合コストを削減することができる。また、切欠部２６の形状としては、図に示すような略円弧状とすれば先端片１０１ａを挿入しやすくなるが、先端片１０１ａを挿入可能な形状であれば他の切欠き形状であってもよく、例えば、直線状に設けてもよい。
【００２２】
包装体１０の形成時には、紙型片１１の各折線１２をいわゆる山折り線に見立ててそれぞれ山折りし、糊代面１９ａを下面板１６に図示しない接着のり或は両面テープ等の貼着手段で貼着し、左折込み板２４、右折込み板２５をそれぞれ折り込んだ後に左案内板２２、右案内板２３を折り、次いで、左差込み板２０と右差込み板２１を挿入穴２８、２８に差込むようにしながら左側面板１７と右側面板１８を折り込むことにより包装体１０が設けられる。このとき左折込み板２４、右折込み板２５は、正面板１３と背面板１４との間に位置し、包装体１０の下側コーナー部位を補強している。また、左案内板２２、右案内板２３を設けることで包装体１０の厚さ方向の補強を行っている。更に、左差込み板２０と右差込み板２１の差込み後には左差込み板２０、右差込み板２１の両端縁部位が切欠溝２９によって曲折可能であることにより確実に挿入穴２８に係止して左側面板１７と右側面板１８の折り込み状態を維持するようにしている。
【００２３】
包装体１０内にロール体１００を収納するときには、包装体１０より積層テープ１０１の先端片１０１ａを適宜長さ繰り出して剥離紙１０３を熱溶着フィルム１０２の外面１０２ａに常に積層保持させた状態にするために積層テープ１０１を包装体１０の角部１０ａより繰り出させるようにする。
具体的には、図２に示すように紙型片１１を包装体１０の状態に折り畳んだときに、上面板１５と右側面板１８（右案内板２３）との間に形成される隙間である角部１０ａより積層テープ１０１の先端片１０１ａを先ず外方に繰り出し、この先端片１０１ａを包装体１０の扁平側面である上面板１５に形成した切欠部２６より挿入すると共に、先端片１０１ａを上面板１５の端部１５ａの下側の上面板１５と左側面板１７（左案内板２２）との間に形成された隙間より繰り出すように構成することにより積層テープ１０１を端部１５ａから切欠部２６までの間に形成される保持部１５ｂによって上方向から保持し、剥離紙１０３を常に熱溶着フィルム１０２の外面１０２ａに積層した状態で保持している。このロール体１００の収納は、図４に示すように、右側面板１８、右案内板２３、及び左側面板１７、左案内板２２を開放した状態で上記のように先端片１０１ａを案内すれば先端片１０１ａを端部１５ａより繰り出しやすくなり、この先端片１０１ａを繰り出した後に左案内板２２、左側面板１７及び左差込み板２０を折り込むようにすればロール体１００の収納が容易となる。
なお、図１、２に示すように、包装体１０の状態に折り畳んだときに左側面板１７と左案内板２２とが連通するような切欠係止部２６ａを紙型片１１に切欠き形成し、ロール体１００を収納したときにこの切欠係止部２６ａに先端片１０１ａ側を挿入すれば、先端片１０１ａを係止させた状態に維持することができ、先端片１０１ａ側が何らかの拍子に包装体１０内に繰り戻されたり、熱溶着フィルム１０２と剥離紙１０３が先端片１０１側から自然に剥がれたりすることを防ぐことができる。
【００２４】
衣類等を補修する場合は、先ず、包装体１０の端部１５ａから必要な長さの分だけ積層テープ１０１を繰り出して切断する。このとき図示しない鋏を用いて切断すれば、熱溶着フィルム１０２と剥離１０３との間にずれが生じることなく、正確な長さにて切断することができる。
次に、この必要な長さに切った積層テープ１０１を熱溶着フィルム１０２を下側にして生地の接着箇所に置き、剥離紙１０３の上に必要に応じてあて布等を被せた状態でこの上から図示しないアイロンで中温程度（１２０〜１５０℃）によって加熱すれば、熱溶着フィルム１０２が生地に熱溶着される。積層テープ１０１の接着箇所としては、例えば、スラックスの裾上げを行う場合、スラックス裏側の接着する高さ位置に周設するように溶着するのがよい。このとき剥離紙１０３の熱溶着フィルム１０２側には図示しない耐熱処理が施されているため、アイロン加熱によって剥離紙１０３が熱溶着フィルム１０２に接着することはない。
続いて、剥離紙１０３が冷めた後に、熱溶着フィルム１０２から剥離紙１０３を剥して熱溶着フィルム１０２の未溶着面を表出させ、裾上げを行う部分の生地の端部を内側に折り込むようにしながら熱溶着フィルム１０２に載置して手などで押圧して仮着し、この状態で生地の上からアイロンの中温程度で圧着することで熱溶着テープ１０２が生地の間に溶着して裾上げが完了となる。このときの圧着時間としては、例えば、５〜１０秒程度が望ましいが、生地の材質や厚さ、又はアイロンの設定温度等に応じてこの圧着時間を任意に調整し、確実に溶着が行われるまで圧着するのがよい。
裾上げ後には、熱溶着フィルム１０２が有する高い溶着性によって生地同士を強固に接着してこの裾上げ状態が維持され、簡単に剥がれたりすることがない。
更に、熱溶着フィルム１０２を２枚以上重ねるようにして使用すれば接着力がより強くなり、強固な補修を行うことが可能となる。
【００２５】
次に、本発明の積層テープの繰り出し包装構造における上記実施形態の作用を説明する。
本発明の積層テープの繰り出し包装構造は、長尺状の接着フィルム１０２の外面１０２ａに剥離紙１０３を積層状態で積層テープ１０１を巻装したロール体１００を適宜形状の包装体１０に収納し、この包装体１０よりロール体１００の積層テープ１０１の先端片１０１ａを適宜長さ繰り出して、常に剥離紙１０３を接着フィルム１０２の外面１０２ａに積層保持させるようにし、保持部１５ｂによって積層テープ１０１の積層状態を維持するようにしているので、接着フィルム１０２から剥離紙１０３が剥がれた場合でも積層状態を保持しながら使用することができる。従って、衣類の補修を行う場合にも、剥離紙１０３が熱溶着フィルム１０２に対してずれたり、剥離紙１０３が熱溶着フィルム１０２に対して１回転分余計に剥がれたりして熱溶着フィルム１０２と剥離紙１０３の積層状態が入れ替わったりすることがないため常に正しい状態で積層テープ１０１を使用して熱溶着を行うことができ、確実に補修作業を行うことができる。
【００２６】
図５に示した本発明の積層テープの繰り出し包装構造の第２実施形態においては、紙型片３１の左側面板３２に２箇所の切欠部３３、３４を設け、上面板３５の端部３５ａより適宜長さ繰り出した積層テープ１０１の外端部片１０１ａを切欠部３３に挿入し、この外端部片１０１ａを切欠部３４から繰り出すようにし、これによって積層テープ１０１を保持部３５ｂにより上方向から保持して剥離紙１０３を常に熱溶着フィルム１０２の外面に積層した状態で保持している。このように紙型片３１の側面に複数の切欠部を設けることによって積層テープ１０１を保持するようにしてもよい。また、残量視認窓３７は、収納したロール体１００の残量を視認可能であれば図のように細長状に切欠くこともでき、更には、細長状以外の任意の形状であってもよい。
また、図６の展開図に示したように、紙型片３１は折り畳んだときに箱型形状の包装体３０の状態に形成できれば各面板の位置関係が変わってもよく、更には、折り畳んだときに少なくとも６面体を構成できれば、この６面体を構成する６つの面体以外の面体を省略することもできる。例えば、第２実施形態の包装体３０は、第１実施形態における左右案内板を省略したものであり、左差込み板３８、右差込み板３９をそれぞれ折り込むことで包装体３０の箱型形状を維持するようにしたものである。また、図示しないが、第２実施形態についても第１実施形態と同様に外端部片（先端片）１０１ａを係止するような切欠係止部を設けることもでき、更には、後述する実施形態についても同様である。
【００２７】
図７に示した本発明の積層テープの繰り出し包装構造の第３実施形態においては、紙型片４１の左側面板４２に別部材によって形成した保持片４３を貼着したものであり、この保持片４３と左側面板４２との間に上面板４５の端部４５ａより適宜長さ繰り出した積層テープ１０１の外端部片１０１ａを挿入してこの外端部片１０１ａを保持するようにしている。このように積層テープ１０１の積層状態を維持する保持部位を紙型片４１とは別に設け、後付けにて紙型片４１に取付けるようにしてもよい。
【００２８】
図８に示した本発明の積層テープの繰り出し包装構造の第４実施形態においては、包装体５０を透明或は半透明のプラスチック等の樹脂成形によって一体形成し、ロール体１００の外観形状に沿った略中空の円盤形状に設けたものである。保持片５３は、積層テープ１０１の外端部片１０１ａを保持可能に包袋体５０と一体成形しており、包装体５０に形成した引出穴５０ａより引出した外端部片１０１ａをこの保持片５３に形成した挿入部５３ａに挿入することで外端部片１０１ａを保持可能にしている。筒状体５４は包装体５０と一体に成形し、この筒状体５４を芯部材１０４の中心穴１０４ａに挿入するようにしながらロール体１００を包装体５０に収納すれば、収納後には保持筒５４がガイド機能を発揮し、積層テープ１０１を引き出そうとしてロール体１００が回転しようとしたときにこの回転が滑らかになり容易に引き出すことができる。なお、図示しないが、包装体５０のロール体１００の取付け側に装着可能でロール体１００を保護するようなキャップを設けるようにしてもよい。
このように包装体は、プレス加工等によって設けた紙型片を組立てる以外の手段によって設けるようにしてもよく、更に、上記のようなプラスチック樹脂以外にも、他の合成樹脂や、金属或は木などを材料として形成することができる。また、形状に関しても箱型形状に拘ることなく、図８のような略中空円盤形状や、或はそれ以外の各種の形状に設けることもできる。
【００２９】
図９に示した本発明の積層テープの繰り出し包装構造の第５実施形態においては、図１の包装体と同形状の包装体６０を設け、この包装体６０の左側面板６７に対して、上面板６５の端部６５ａ方向に刃先６８ａを向けた状態で切刃６８を取付けたものである。これによると先端片１０１ａを繰り出した後に切刃６８で必要な長さに切断することができ、切断用の鋏等を必要とすることがなく、補修作業が簡単になる。
【産業上の利用可能性】
【００３０】
本発明は、衣料補修用テープをロール体として収納する場合の積層テープの繰り出し包装構造として特に好適であるが、これ以外にも、剥離紙付きの修正テープや、剥離紙付きの両面接着テープなどの、粘着性を有するテープとこの粘着部位を保護する剥離紙による組合せからなる様々な積層テープを収納する場合の繰り出し包装構造に応用できる。
【図面の簡単な説明】
【００３１】
【図１】本発明の積層テープの繰り出し包装構造を利用した包装体の第１実施形態を示す斜視図である。
【図２】図１の拡大正面断面図である。
【図３】図１の包装体を展開した展開図である。
【図４】ロール体を包装体に収納する収納状態を示した斜視図である。
【図５】本発明の積層テープの繰り出し包装構造を利用した包装体の第２実施形態を示す斜視図である。
【図６】図５の包装体を展開した展開図である。
【図７】本発明の積層テープの繰り出し包装構造を利用した包装体の第３実施形態を示す斜視図である。
【図８】本発明の積層テープの繰り出し包装構造を利用した包装体の第４実施形態を示す斜視図である。
【図９】本発明の積層テープの繰り出し包装構造を利用した包装体の第５実施形態を示す斜視図である。
【図１０】衣料補修用テープを示した斜視図である。
【図１１】衣料補修用テープの誤った積層状態を示した拡大斜視図である。
【符号の説明】
【００３２】
１０  包装体
１０ａ  角部
１１  紙型片
１５  上面板（扁平側面）
１５ａ  端部
２６  切欠部
１００  ロール体
１０１  積層テープ
１０１ａ  先端片（外端部片）
１０２  熱溶着フィルム（接着フィルム）
１０２ａ  外面
１０３  剥離紙
【図１】
2005320047.tif 000003
【図２】
2005320047.tif 000004
【図３】
2005320047.tif 000005
【図４】
2005320047.tif 000006
【図５】
2005320047.tif 000007
【図６】
2005320047.tif 000008
【図７】
2005320047.tif 000009
【図８】
2005320047.tif 000010
【図９】
2005320047.tif 000011
【図１０】
2005320047.tif 000012
【図１１】
2005320047.tif 000013